(57)【要約】【課題】ピン孔の加工精度が低くてもバンドと時計ケースとの間の隙間を簡易になくすことができ、かつ、バンドと時計ケースの取り付けが容易な時計ケースとバンドの取付構造及び時計を提供する。【解決手段】時計ケース１１のピン孔１５を連結ピン３０の外径と略同径に形成すると共に、バンド２０の最終駒２１Ａのピン孔２４を連結ピン３０の外径より少なくともバンド長さ方向に大きく形成し、最終駒２１Ａの凹部２５に固定部材４０を挿入すると、この固定部材４０が凹部２５にて露出する連結ピン３０に当接し、最終駒２１Ａを時計ケース１１側へ押圧するようにした。【選択図】      図３
2004294284.tif 000002
【特許請求の範囲】
【請求項１】
時計ケースに、バンドの端にある最終駒を連結ピンにより取り付けた時計ケースとバンドの取付構造において、
前記時計ケースと前記バンドの最終駒には、前記連結ピンが挿通されるピン孔が形成され、
前記時計ケース又は前記最終駒のいずれか一方のピン孔を、前記連結ピンの外径と略同径に形成すると共に、前記時計ケース又は前記最終駒の他方のピン孔を、前記連結ピンの外径よりも少なくともバンド長さ方向に大きく形成し、前記ピン孔が大きく形成された前記時計ケース又は前記最終駒を、前記ピン孔が前記連結ピンと略同径に形成された前記最終駒又は前記時計ケース側へ押圧し、前記最終駒又は前記時計ケースをピン連結させる固定手段を有することを特徴とする時計ケースとバンドの取付構造。
【請求項２】
前記時計ケース又は最終駒のいずれかに、前記ピン孔に挿通された前記連結ピンの一部を外部に露出させる凹部を形成し、
前記固定手段は、前記凹部が形成された前記時計ケース又は最終駒を、この凹部にて露出された前記連結ピンを基準にして、前記凹部が形成されていない前記最終駒又は前記時計ケース側へ押圧することを特徴とする請求項１に記載の時計ケースとバンドの取付構造。
【請求項３】
前記凹部に、バンド厚さ方向に延びるねじ孔を形成し、
前記固定手段は、
バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記連結ピン側の面が前記連結ピンと当接し、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする請求項２に記載の時計ケースとバンドの取付構造。
【請求項４】
前記凹部に、バンド厚さ方向に延びるねじ孔を形成し、
前記固定手段は、
前記連結ピンが挿通される長孔と、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記長孔が、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする請求項２に記載の時計ケースとバンドの取付構造。
【請求項５】
前記凹部は、前記バンドの最終駒の裏側又は前記時計ケースの裏側に設けられることを特徴とする請求項２乃至４のいずれかに記載の時計ケースとバンドの取付構造。
【請求項６】
時計機構が内蔵された時計ケースと、端にある最終駒が連結ピンによって時計ケースに連結されたバンドとを備える時計において、
前記時計ケースと前記バンドの最終駒には、前記連結ピンが挿通されるピン孔が形成され、
前記時計ケース又は前記最終駒のいずれか一方のピン孔を、前記連結ピンの外径と略同径に形成すると共に、前記時計ケース又は前記最終駒の他方のピン孔を、前記連結ピンの外径よりも少なくともバンド長さ方向に大きく形成し、前記ピン孔が大きく形成された前記時計ケース又は前記最終駒を、前記ピン孔が前記連結ピンと略同径に形成された前記最終駒又は前記時計ケース側へ押圧し、前記最終駒又は前記時計ケースをピン連結させる固定手段を有することを特徴とする時計。
【請求項７】
前記時計ケース又は最終駒のいずれかに、前記ピン孔に挿通された前記連結ピンの一部を外部に露出させる凹部を形成し、
前記固定手段は、前記凹部が形成された前記時計ケース又は最終駒を、この凹部にて露出された前記連結ピンを基準にして、前記凹部が形成されていない前記最終駒又は前記時計ケース側へ押圧することを特徴とする請求項６に記載の時計。
【請求項８】
前記凹部に、バンド厚さ方向に延びるねじ孔を形成し、
前記固定手段は、
バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記連結ピン側の面が前記連結ピンと当接し、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする請求項７に記載の時計。
【請求項９】
前記凹部に、バンド厚さ方向に延びるねじ孔を形成し、
前記固定手段は、
前記連結ピンが挿通される長孔と、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記長孔が、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする請求項７に記載の時計。
【請求項１０】
前記凹部は、前記バンドの最終駒の裏側又は前記時計ケースの裏側に設けられることを特徴とする請求項７乃至９のいずれかに記載の時計。
【発明の詳細な説明】
【０００１】
【発明の属する技術分野】
本発明は、時計ケースとバンドの取付構造及び時計に関する。
【０００２】
【従来の技術】
従来より、腕時計ケースと金属製バンドの取り付けは、ケースのカンと、金属製バンドの最終駒（いわゆるエンドピース）とに孔（ピン孔）を形成し、この孔に連結ピンを挿入して行うものが一般的である。
また、この種の取付構造においては、腕時計ケースと金属製バンドとを連結ピンを中心に回転可能に連結し、さらに、バンドの最終駒にバンド長さ方向に貫通するねじ孔を形成し、このねじ孔に螺合したねじを腕時計ケースの側壁に当接させることによって、このねじによって最終駒を上記連結ピンを中心に回転させ、腕時計ケースとエンドピースとの間の隙間をなくすようにしたものが提案されている（例えば、特許文献１参照）。
【０００３】
【特許文献１】
特開２０００−３３００４号公報
【０００４】
【発明が解決しようとする課題】
しかしながら、上記いずれの従来技術も、腕時計ケースとバンドのピン孔が連結ピンと略同径に形成されるので、ピン孔のばらつきによって腕時計ケースとバンドのピン孔が挿通しなくなってしまう場合があり、腕時計ケースとバンドとを連結できなくなってしまう場合が生じてしまうという問題がある。
また、後者の従来技術においては、最終駒を回転して当該最終駒と腕時計ケースとの間の隙間を無くすため、ピン孔のばらつきによって、腕時計ケースとエンドピースとの角度にばらつきが発生してしまうという問題もある。すなわち、いずれの従来技術においても、不良品を低減するためには、腕時計ケースとバンドとに形成するピン孔に高い加工精度が要求されるという問題がある。
さらに、後者の従来技術においては、最終駒の長さ方向にねじをねじ込むため、ねじをねじ込む際などに、最終駒から他の駒を外す必要があり、バンドの取付作業が繁雑な問題もある。
【０００５】
そこで、本発明の目的は、上述した従来の技術が有する課題を解消し、ピン孔の加工精度が低くてもバンドと時計ケースとの間の隙間を簡易になくすことができ、かつ、バンドと時計ケースの取り付けが容易な時計ケースとバンドの取付構造及び時計を提供することにある。
【０００６】
【課題を解決するための手段】
上述課題を解決するため、請求項１記載の発明は、時計ケースに、バンドの端にある最終駒を連結ピンにより取り付けた時計ケースとバンドの取付構造において、前記時計ケースと前記バンドの最終駒には、前記連結ピンが挿通されるピン孔が形成され、前記時計ケース又は前記最終駒のいずれか一方のピン孔を、前記連結ピンの外径と略同径に形成すると共に、前記時計ケース又は前記最終駒の他方のピン孔を、前記連結ピンの外径よりも少なくともバンド長さ方向に大きく形成し、前記ピン孔が大きく形成された前記時計ケース又は前記最終駒を、前記ピン孔が前記連結ピンと略同径に形成された前記最終駒又は前記時計ケース側へ押圧し、前記最終駒又は前記時計ケースをピン連結させる固定手段を有することを特徴とする。この構成によれば、時計ケース又は最終駒を、固定手段により最終駒又は時計ケース側へ押圧してピン連結するので、時計ケースと最終駒との間に隙間を無くした状態でピン連結することができる。
【０００７】
また、請求項２に記載の発明は、請求項１に記載の構成において、前記時計ケース又は最終駒のいずれかに、前記ピン孔に挿通された前記連結ピンの一部を外部に露出させる凹部を形成し、前記固定手段は、前記凹部が形成された前記時計ケース又は最終駒を、この凹部にて露出された前記連結ピンを基準にして、前記凹部が形成されていない前記最終駒又は前記時計ケース側へ押圧することを特徴とする。
【０００８】
また、請求項３に記載の発明は、請求項２に記載の構成において、前記凹部に、バンド厚さ方向に延びるねじ孔を形成し、前記固定手段は、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記連結ピン側の面が前記連結ピンと当接し、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする。この構成によれば、固定部材に挿通されたねじを締め付けるだけで、時計ケース又は最終駒を最終駒又は時計ケース側へ押圧することができるので、時計ケースと最終駒との間に隙間をなくした状態で簡易にピン連結することができる。
【０００９】
また、請求項４に記載の発明は、請求項２に記載の構成において、前記凹部に、バンド厚さ方向に延びるねじ孔を形成し、前記固定手段は、前記連結ピンが挿通される長孔と、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記長孔が、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする。この構成によれば、固定部材に挿通されたねじを締め付けるだけで、時計ケース又は最終駒を最終駒又は時計ケース側へ押圧することができるので、時計ケースと最終駒との間に隙間をなくした状態で簡易にピン連結することができる。また、ねじの回転量の調整により、最終駒を時計ケースに対してバンド厚さ方向に若干回転できるようにするか、固定するかを選択することができる。
【００１０】
また、請求項５に記載の発明は、請求項２乃至４のいずれかに記載の構成において、前記凹部は、前記バンドの最終駒の裏側又は前記時計ケースの裏側に設けられることを特徴とする。
【００１１】
また、請求項６に記載の発明は、時計機構が内蔵された時計ケースと、端にある最終駒が連結ピンによって時計ケースに連結されたバンドとを備える時計において、前記時計ケースと前記バンドの最終駒には、前記連結ピンが挿通されるピン孔が形成され、前記時計ケース又は前記最終駒のいずれか一方のピン孔を、前記連結ピンの外径と略同径に形成すると共に、前記時計ケース又は前記最終駒の他方のピン孔を、前記連結ピンの外径よりも少なくともバンド長さ方向に大きく形成し、前記ピン孔が大きく形成された前記時計ケース又は前記最終駒を、前記ピン孔が前記連結ピンと略同径に形成された前記最終駒又は前記時計ケース側へ押圧し、前記最終駒又は前記時計ケースをピン連結させる固定手段を有することを特徴とする。この構成によれば、時計ケース又は最終駒を、固定手段により最終駒又は時計ケース側へ押圧してピン連結するので、時計ケースと最終駒との間に隙間を無くした状態でピン連結することができる。
【００１２】
また、請求項７に記載の発明は、請求項６に記載の構成において、前記時計ケース又は最終駒のいずれかに、前記ピン孔に挿通された前記連結ピンの一部を外部に露出させる凹部を形成し、前記固定手段は、前記凹部が形成された前記時計ケース又は最終駒を、この凹部にて露出された前記連結ピンを基準にして、前記凹部が形成されていない前記最終駒又は前記時計ケース側へ押圧することを特徴とする。この構成によれば、固定部材に挿通されたねじを締め付けるだけで、時計ケース又は最終駒を最終駒又は時計ケース側へ押圧することができるので、時計ケースと最終駒との間に隙間をなくした状態で簡易にピン連結することができる。
【００１３】
また、請求項８に記載の発明は、請求項７に記載の構成において、前記凹部に、バンド厚さ方向に延びるねじ孔を形成し、前記固定手段は、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記連結ピン側の面が前記連結ピンと当接し、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする。この構成によれば、固定部材に挿通されたねじを締め付けるだけで、時計ケース又は最終駒を最終駒又は時計ケース側へ押圧することができるので、時計ケースと最終駒との間に隙間をなくした状態で簡易にピン連結することができる。
【００１４】
また、請求項９に記載の発明は、請求項７に記載の構成において、前記凹部に、バンド厚さ方向に延びるねじ孔を形成し、前記固定手段は、前記連結ピンが挿通される長孔と、バンド厚さ方向に貫通する貫通孔を有し、この貫通孔にねじを挿通して該ねじを前記凹部のねじ孔に螺合した場合に、前記ねじによって前記凹部内をバンド厚さ方向に移動可能な形状を有し、かつ、前記凹部内をバンド厚さ方向に移動すると、前記長孔が、前記連結ピンを基準に当該固定手段をバンド厚さ方向に移動させ、前記凹部が形成された前記時計ケース又は最終駒を、前記凹部が形成されていない前記最終駒又は前記時計ケース側へ押圧することを特徴とする。また、連結ピンが挿通される孔が長孔なので、ねじのねじ込み量を調整すれば、最終駒を時計ケースに対してバンド厚さ方向に若干回転できるようにするか、固定するかを選択することができる。
【００１５】
また、請求項１０に記載の発明は、請求項７乃至９のいずれかに記載の構成において、前記凹部は、前記バンドの最終駒の裏側又は前記時計ケースの裏側に設けられることを特徴とする。
【００１６】
【発明の実施の形態】
以下、図面を参照して本発明の実施形態を詳述する。
【００１７】
図１は、本発明の実施形態に係る腕時計の外観構成を示す図である。この腕時計１は、時刻表示を行う時計本体１０と、この時計本体１０に連結されたバンド２０とから構成されている。時計本体１０は、ステンレス、チタン等で形成された時計ケース１１内に、時計機構１２が内蔵されて構成される。なお、本実施形態では、時刻をアナログ表示する腕時計を例示したが、時刻をデジタル表示する腕時計であってもよい。
バンド２０は、ステンレス、チタン等の金属材料で形成された駒２１を多数連結して構成され、最も端にある駒２１Ａ（最終駒（エンドピース））が時計ケース１１に連結される。なお、図示は省略するが、このバンド２０には、このバンド２０を、この腕時計１の装着部位（装着者の手首）に合わせた長さで留めるための留め具（二ツ折方式、三ツ折方式、両開き方式など）が設けられている。
【００１８】
図２は、時計ケース１１とバンド２０の取付構造を示す側面図であり、図３は、時計ケース１１とバンド２０との取付構造を示す斜視図である。これら図に示すように、時計ケース１１には、時計ケース１１の６時側及び１２時側にバンド２０を取り付けるための取付部１３が形成される。なお、時計ケース１１の各取付部１３の周辺構成は同様であるため、図２及び図３においては一方の取付部１３の周辺構成のみを示している。具体的には、取付部１３は、２本のカン１４を有し、これらカン１４にバンド２０の幅方向に延びる貫通孔１５が形成されて構成される。なお、これら取付部１３の形状は、２本のカン１４を有する形状に限らず、２本のカン１４の時計ケース１１表側に屋根を設けた形状（いわゆる屋根付きカン形状）など他の形状を適用してもよい。
【００１９】
一方、バンド２０の最終駒である駒２１Ａには、時計ケース１１に取り付けられる取付部２３が形成される。この取付部２３は、時計ケース１１の取付部１３に嵌合する形状に形成される。また、この取付部２３には、時計ケース１１の取付部１３に嵌合された際に、時計ケース１１の取付部１３の貫通孔１５に対応する位置に貫通孔２４が形成される。また、駒２１Ａの取付部２３には、貫通孔２４の一部を含む領域に時計ケースの裏側が開口する凹部２５が形成され、この凹部２５には、バンドの厚さ方向（矢印Ｚ方向）にねじ孔２６が形成される。
従って、駒２１Ａの取付部２３を時計ケース１１の取付部１３に嵌合させると、各取付部２３及び１３の貫通孔２４及び１５が連通し、この連通した孔に連結ピン３０を挿通することによって、駒２１Ａと時計ケース１１とが連結されるようになっている。
【００２０】
ここで、この腕時計１においては、図３に示すように、時計ケース１１の取付部１３に形成された貫通孔１５が、連結ピン３０の外径と略同径の真円形状に形成されるのに対し、バンド２０の駒２１Ａに形成された貫通孔２４が、連結ピン３０の外径よりもバンド２０の長さ方向（矢印Ｙ方向）に長い楕円形状に形成される。すなわち、連結ピン３０によって駒２１Ａと時計ケース１１とを連結した状態では、バンド２０の駒２１Ａがバンド２０の長さ方向（矢印Ｙ方向）に移動可能であり、駒２１Ａを時計ケース１１に近づけたり、離したりできるようになっている。また、このように駒２１Ａの貫通孔２４を、時計ケース１１の貫通孔１５より大きく形成しているため、これら貫通孔２４及び１５に位置ずれなどのばらつきがあってもこれら貫通孔２４及び１５はほぼ確実に連通し、駒２１Ａと時計ケース１１をほぼ確実に連結ピン３０によって連結することが可能となっている。
【００２１】
さて、駒２１Ａに形成された上記凹部２５には、当該駒２１Ａのバンド２０の長さ方向の位置を固定するための固定部材４０が配置されるようになっている。詳述すると、図３に示すように、固定部材４０は、バンド２０の厚さ方向に貫通孔４１が形成され、この貫通孔４１にねじ４２を挿通し、このねじ４２を凹部２５のねじ孔２６に螺合することにより凹部２５内に挿入される。
【００２２】
この固定部材４０は、凹部２５にて露出された連結ピン３０の中央部分３０Ａと、凹部２５の時計ケース１１側の側面２５Ａとの間の空間にほぼ嵌合する形状を有し、ねじ４２によって凹部２５内をバンド２０の厚さ方向（矢印Ｚ方向）に移動可能に構成されている。さらに、図４に示すように、この固定部材４０は、連結ピン３０側の面４０Ａが、この固定部材４０が凹部２５内に挿入された場合に、連結ピン３０に当接する斜面に形成される。なお、図３に示すように、連結ピン３０の凹部２５にて露出する中央部分３０Ａは、他の部分に比して細く形成され、この中央部分３０Ａに固定部材４０が係合することにより、連結ピン３０の抜けが防止されるようになっている。
【００２３】
以上の構成によりその作用について説明すると、まず、駒２１Ａと時計ケース１１とを連結ピン３０で連結することにより、駒２１が、連結ピン３０に対してバンド２０の長さ方向に移動可能に時計ケース１１に連結される。次に、固定部材４０を、ねじ４２を締め込んで駒２１Ａの凹部２５に挿入させていくと、固定部材４０の面４０Ａが、連結ピン３０と当接し、この固定部材４０をバンド２０の長さ方向、より具体的には時計ケース１１側へ移動させ、駒２１Ａを時計ケース１１側へ押圧し、駒２１Ａを時計ケース１１に当接させる。これにより、駒２１Ａと時計ケース１１とを隙間のない状態でピン連結することができる。
【００２４】
以上説明したように、本実施形態の腕時計１によれば、バンド２０の駒２１Ａをバンド長さ方向に移動可能に時計ケース１１に連結した後、固定部材４０をねじ４２で凹部２５側に挿入していくだけで、駒２１Ａを時計ケース１１とを隙間のない状態に簡易に固定することができる。また、長年の使用により、連結ピン３０の曲がりなどの不具合によって駒２１Ａと時計ケース１１との間に隙間が生じた場合でも、ねじ４２をさらに締め付けるだけでその隙間を簡易に無くすことが可能となる。また、この腕時計１は、ねじ４２を若干反転すれば、駒２１Ａを時計ケース１１に対して簡単に回転させることが可能である。すなわち、駒２１Ａを時計ケース１１に完全に固定するか、回転できるようにするかを簡易に調整することができる。
【００２５】
また、この腕時計１においては、駒２１Ａの貫通孔２４を、時計ケース１１の貫通孔１５よりも大きく形成しているので、貫通孔１５、２４にばらつきがあっても、貫通孔１５及び２４をほぼ確実に連通させることが可能となる。従って、ピン孔（貫通孔１５、２４に対応）の加工精度が低くても、時計ケース１１とバンド２０とが連結できず、不良品が発生する、といった事態を大幅に低減することが可能である。なお、上記した連結ピン３０は、ピンに限らず、ばね棒、ねじ等でもよいことは勿論である。
【００２６】
＜変形例＞
上述した実施形態は、あくまでも本発明の一態様を示すものであり、本発明の範囲内で任意に変形が可能である。そこで、以下に変形例について例示する。
（１）  上記実施形態では、固定部材４０の面４１Ａを斜面に形成することによって、固定部材４０を凹部２５に挿入すると、この面４１が駒２１Ａを時計ケース１１側に押圧するようにしたが、この面４１Ａの形状は、駒２１Ａを時計ケース１１側に移動可能な範囲で曲面や段差のある面に形成してもよい。
【００２７】
また、図５に示すように、固定部材４０に、連結ピン３０が挿通される長孔４４を形成し、この長孔４４が、固定部材４０を凹部２５に挿入すると、連結ピン３０に対して固定部材４０をバンド２０の厚さ方向、より具体的には、時計ケース１１側に移動させ、駒２１Ａを時計ケース１１側へ押圧するように構成してもよい。また、この構成においては、駒２１Ａと時計ケース１１との間に隙間のない状態から、ねじ４２を若干反転して駒２１Ａと時計ケース１１との間に若干の隙間を設けることによって、駒２１Ａを時計ケース１１に対して若干回転できるようにすることも可能である。すなわち、ねじ４２の回転量の調整により、駒２１Ａを時計ケース１１に完全に固定するか、若干回転できるようにするかを簡易に選択することができる。
【００２８】
（２）  また、上記実施形態では、駒２１Ａの貫通孔２４を楕円形状に形成する場合について述べたが、楕円形状に限らず、長孔形状、真円形状にしてもよい。要は、連結ピン３０の外径よりもバンド２０の長さ方向（矢印Ｙ方向）に長い孔に形成すればよい。
【００２９】
（３）  また、上記実施形態では、駒２１Ａ側の貫通孔２４を連結ピン３０の外径よりも大きい孔とし、時計ケース１１側の貫通孔１５を連結ピン３０の外径と略同径の孔に形成する場合について述べたが、図６に示すように、時計ケース１１側の貫通孔１５を連結ピン３０の外径より大きい孔とし、駒２１Ａ側の貫通孔２４を連結ピン３０の外径と略同径の孔に形成してもよい。この場合、同図に示すように、時計ケース１１の取付部１３を、屋根１４Ａを有するいわゆる屋根付きカン形状に形成し、この屋根１４Ａのねじ４２のねじ孔２６Ａを形成する。これにより、ねじ４２を締め付ければ固定部材４０が連結ピン３０を時計ケース１１側に移動し、駒２１Ａを時計ケース１１側に移動して駒２１Ａと時計ケース１１とを隙間のない状態にすることができる。
【００３０】
（４）  また、上記実施形態では、駒２１Ａに凹部２５を設け、この凹部２５に固定部材４０を配置することによって、駒２１Ａと時計ケース１１とを隙間のない状態でピン連結する場合について述べたが、時計ケース１１側に凹部２５を設け、この凹部２５に固定部材４０を配置することによって、駒２１Ａと時計ケース１１とを隙間のない状態でピン連結するようにしてもよい。
【００３１】
（５）  また、凹部２５は、デザイン上、駒２１Ａの裏側（凹部２５を時計ケース１１に設ける場合は時計ケース１１の裏側）に設けることが好ましいが、駒２１Ａの表側（凹部２５を時計ケース１１に設けた場合は時計ケース１１の表側）に設けるようにしてもよい。
【００３２】
（６）  また、上記実施形態では、金属製バンドを例に説明したが、少なくとも、端部に駒（最終駒）を有するバンドであればよく、駒の材質は樹脂又はゴム等でもよく、金属材料に限定されない。さらに、本発明を腕時計に適用する場合について述べたが、バンドとケースを連結ピンで連結する構成を備えた時計等の装身具に広く適用が可能である。
【００３３】
【発明の効果】
上述したように本発明によれば、ピン孔の加工精度が低くてもバンドと時計ケースとの間の隙間を簡易になくすことができ、かつ、バンドと時計ケースの取り付けを容易にすることができる。
【図面の簡単な説明】
【図１】本発明の実施形態に係る腕時計の外観構成を示す図である。
【図２】同腕時計の時計ケースとバンドの取付構造を示す側面図である。
【図３】同腕時計の時計ケースとバンドの取付構造を示す斜視図である。
【図４】同腕時計の時計ケースとバンドの取付構造の説明に供する一部断面図である。
【図５】変形例に係る腕時計の時計ケースとバンドの取付構造の説明に供する一部断面図である。
【図６】変形例に係る腕時計の時計ケースとバンドの取付構造を示す斜視図である。
【符号の説明】
１…腕時計、１０…時計本体、１１…時計ケース、２０…バンド、２１、２１Ａ…駒、１３、２３…取付部、２５…凹部、２６…ねじ孔、１５、２４、４１…貫通孔、３０…連結ピン、４０…固定部材、４２…ねじ
【図１】
2004294284.tif 000003
【図２】
2004294284.tif 000004
【図３】
2004294284.tif 000005
【図４】
2004294284.tif 000006
【図５】
2004294284.tif 000007
【図６】
2004294284.tif 000008